(57)【要約】【課題】必要に応じて簡易な操作でプリ発光のみを禁止する。【解決手段】発光量を調節して連続発光可能なフラッシュ発光部35及びこれを駆動するフラッシュ駆動部32と、被写体までの距離を測定するレンズ光学系12を含む撮像系と、ＴＴＬ測光のためのプリ発光の禁止を指示するキー入力部30のフラッシュキーと、被写体までの距離値に対応したフラッシュ発光部35での発光量を記憶した撮影プログラム記憶部23と、プリ発光禁止指示により、被写体までの距離値に基づいて撮影プログラム記憶部23から発光量を読出し、撮影の本発光時のフラッシュ発光部35の発光量を調節する制御部22とを備える。【選択図】      図２
2010020332.tif 000002
【特許請求の範囲】
【請求項１】
発光量を調節して連続発光可能なフラッシュ部と、
被写体までの距離を測定する距離測定手段と、
上記フラッシュ部によるプリ発光の禁止を指示するプリ発光禁止手段と、
被写体までの距離値に対応した上記フラッシュ部の発光量を記憶した発光量記憶手段と、
上記プリ発光禁止手段での指示により、上記距離測定手段で得た距離値に基づいて上記発光量記憶部から上記フラッシュ部の発光量を読出し、撮影を行なう本発光時の上記フラッシュ部の発光量を調節する調光手段と
を具備したことを特徴とする撮像装置。
【請求項２】
発光量を調節して連続発光可能なフラッシュ部と、
被写体像を撮影する撮像手段と、
上記フラッシュ部によるプリ発光の禁止を指示するプリ発光禁止手段と、
上記撮像手段の適正露出値を算出して自動設定する露出設定手段と、
上記プリ発光禁止手段での指示により、上記露出設定手段で得た露出値に基づいて上記撮像手段で撮影を行なう本発光時の上記フラッシュ部の発光量を調節する調光手段と
を具備したことを特徴とする撮像装置。
【請求項３】
発光量を調節して連続発光可能なフラッシュ部と、
被写体像を撮影する撮像手段と、
被写体までの距離を測定する距離測定手段と、
上記フラッシュ部によるプリ発光の禁止を指示するプリ発光禁止手段と、
上記撮像手段の適正露出値を算出して自動設定する露出設定手段と、
被写体までの距離値に対応した上記フラッシュ部の発光量を記憶した発光量記憶手段と、
上記プリ発光禁止手段での指示により、上記距離測定手段で得た距離値に基づいて上記発光量記憶部から上記フラッシュ部の発光量を読出し、上記露出設定手段で設定した露出値に基づいた補正を施して撮影を行なう本発光時の上記フラッシュ部の発光量を調節する調光手段と
を具備したことを特徴とする撮像装置。
【請求項４】
発光量を調節して連続発光可能なフラッシュ部と、
被写体までの距離を測定する距離測定手段と、
上記フラッシュ部によるプリ発光の禁止を指示するプリ発光禁止手段と、
上記プリ発光実施時に上記距離測定手段で得た距離値と上記フラッシュ部の発光量とを対応付けて蓄積記憶しておく発光量記憶手段と、
上記プリ発光禁止手段での指示により、上記距離測定手段で得た距離値に基づいて上記発光量記憶部から過去の上記フラッシュ部の対応する発光量を読出し、撮影を行なう本発光時の上記フラッシュ部の発光量を調節する調光手段と
を具備したことを特徴とする撮像装置。
【請求項５】
上記調光手段は、上記発光量記憶部から上記距離測定手段で得た距離値に対応した上記フラッシュ部の発光量を読出すことができなかった場合に、上記発光量記憶手段に記憶されている複数の距離値と発光量との関係から、上記距離測定手段で得た距離値に対応するフラッシュ部の発光量を算出して、撮影を行なう本発光時の上記フラッシュ部の発光量を調節することを特徴とする請求項４記載の撮像装置。
【請求項６】
複数の撮影モード毎の撮影条件を記憶する撮影条件記憶手段と、
上記複数の撮影モード毎の見本画像を記憶する見本画像記憶手段と、
この見本画像記憶手段に記憶される見本画像を表示させて上記複数の撮影モードの１つを設定する選択手段と、
この選択手段で選択された撮影モードに基づいて上記撮影条件記憶手段から対応する撮影条件を設定する撮影モード設定手段と
をさらに具備し、
上記プリ発光禁止手段は、上記撮影モード設定手段で設定した撮影条件に対応して上記フラッシュ部によるプリ発光の禁止を指示する
ことを特徴とする請求項１乃至４いずれかに記載の撮像装置。
【請求項７】
発光量を調節して連続発光可能なフラッシュ部を備えた撮像装置のフラッシュ制御方法であって、
被写体までの距離を測定する距離測定工程と、
上記フラッシュ部によるプリ発光の禁止を指示するプリ発光禁止工程と、
上記プリ発光禁止工程での指示により、被写体までの距離値に対応する上記フラッシュ部の発光量を記憶した記憶内容から、上記距離測定工程で得た距離値に基づいて対応する発光量を読出し、撮影を行なう本発光時の上記フラッシュ部の発光量を調節する調光工程と
を有したことを特徴とするフラッシュ制御方法。
【請求項８】
発光量を調節して連続発光可能なフラッシュ部と、被写体像を撮影する撮像部とを備えた撮像装置のフラッシュ制御方法であって、
上記フラッシュ部によるプリ発光の禁止を指示するプリ発光禁止工程と、
上記撮像部の適正露出値を算出して自動設定する露出設定工程と、
上記プリ発光禁止工程での指示により、上記露出設定工程で得た露出値に基づいて上記撮像部で撮影を行なう本発光時の上記フラッシュ部の発光量を調節する調光工程と
を有したことを特徴とするフラッシュ制御方法。
【請求項９】
発光量を調節して連続発光可能なフラッシュ部と、被写体像を撮影する撮像部とを備えた撮像装置のフラッシュ制御方法であって、
被写体までの距離を測定する距離測定工程と、
上記フラッシュ部によるプリ発光の禁止を指示するプリ発光禁止工程と、
上記撮像部の適正露出値を算出して自動設定する露出設定工程と、
上記プリ発光禁止工程での指示により、被写体までの距離値に対応する上記フラッシュ部の発光量を記憶した記憶内容から、上記距離測定工程で得た距離値に基づいて対応する発光量を読出し、上記露出設定工程で設定した露出値に基づいた補正を施して撮影を行なう本発光時の上記フラッシュ部の発光量を調節する調光工程と
を有したことを特徴とするフラッシュ制御方法。
【請求項１０】
発光量を調節して連続発光可能なフラッシュ部を備えた撮像装置のフラッシュ制御方法であって、
被写体までの距離を測定する距離測定工程と、
上記フラッシュ部によるプリ発光の禁止を指示するプリ発光禁止工程と、
上記プリ発光実施時に上記距離測定工程で得た距離値と上記フラッシュ部の発光量とを対応付けて蓄積記憶する発光量記憶工程と、
上記プリ発光禁止工程での指示により、上記距離測定工程で得た距離値に基づいて上記発光量記憶工程で記憶した内容から過去の上記フラッシュ部の対応する発光量を読出し、撮影を行なう本発光時の上記フラッシュ部の発光量を調節する調光工程と
を有したことを特徴とするフラッシュ制御方法。
【請求項１１】
発光量を調節して連続発光可能なフラッシュ部を備えた撮像装置が内蔵するコンピュータが実行するプログラムであって、
被写体までの距離を測定する距離測定ステップと、
上記フラッシュ部によるプリ発光の禁止を指示するプリ発光禁止ステップと、
上記プリ発光禁止ステップでの指示により、被写体までの距離値に対応する上記フラッシュ部の発光量を記憶した記憶内容から、上記距離測定ステップで得た距離値に基づいて対応する発光量を読出し、撮影を行なう本発光時の上記フラッシュ部の発光量を調節する調光ステップと
をコンピュータに実行させることを特徴とするプログラム。
【請求項１２】
発光量を調節して連続発光可能なフラッシュ部と、被写体像を撮影する撮像部とを備えた撮像装置が内蔵するコンピュータが実行するプログラムであって、
上記フラッシュ部によるプリ発光の禁止を指示するプリ発光禁止ステップと、
上記撮像部の適正露出値を算出して自動設定する露出設定ステップと、
上記プリ発光禁止ステップでの指示により、上記露出設定ステップで得た露出値に基づいて上記撮像部で撮影を行なう本発光時の上記フラッシュ部の発光量を調節する調光ステップと
をコンピュータに実行させることを特徴とするプログラム。
【請求項１３】
発光量を調節して連続発光可能なフラッシュ部と、被写体像を撮影する撮像部とを備えた撮像装置が内蔵するコンピュータが実行するプログラムであって、
被写体までの距離を測定する距離測定ステップと、
上記フラッシュ部によるプリ発光の禁止を指示するプリ発光禁止ステップと、
上記撮像部の適正露出値を算出して自動設定する露出設定ステップと、
上記プリ発光禁止ステップでの指示により、被写体までの距離値に対応する上記フラッシュ部の発光量を記憶した記憶内容から、上記距離測定ステップで得た距離値に基づいて対応する発光量を読出し、上記露出設定ステップで設定した露出値に基づいた補正を施して撮影を行なう本発光時の上記フラッシュ部の発光量を調節する調光ステップと
をコンピュータに実行させることを特徴とするプログラム。
【請求項１４】
発光量を調節して連続発光可能なフラッシュ部を備えた撮像装置が内蔵するコンピュータが実行するプログラムであって、
被写体までの距離を測定する距離測定ステップと、
上記フラッシュ部によるプリ発光の禁止を指示するプリ発光禁止ステップと、
上記プリ発光実施時に上記距離測定ステップで得た距離値と上記フラッシュ部の発光量とを対応付けて蓄積記憶する発光量記憶ステップと、
上記プリ発光禁止ステップでの指示により、上記距離測定ステップで得た距離値に基づいて上記発光量記憶ステップで記憶した内容から過去の上記フラッシュ部の対応する発光量を読出し、撮影を行なう本発光時の上記フラッシュ部の発光量を調節する調光ステップと
をコンピュータに実行させることを特徴とするプログラム。
【発明の詳細な説明】
【技術分野】
【０００１】
本発明は、プリ発光により撮像装置、フラッシュ制御方法及びプログラムに関する。
【背景技術】
【０００２】
従来、遠距離撮影モードを選択したときに赤目軽減のためのプリ発光を禁止するようにした技術が考えられている。（例えば、特許文献１）
【先行技術文献】
【特許文献】
【０００３】
【特許文献１】特開平０５−３４１３６３号公報
【発明の概要】
【発明が解決しようとする課題】
【０００４】
ところで近時は、赤目軽減のためではなく、ＴＴＬ（Ｔｈｒｏｕｇｈ  Ｔｈｅ（Ｔａｋｉｎｇ）Ｌｅｎｓ）測光のためにフラッシュのプリ発光を行ない、得られた露出値で即時発光量を調節して本発光による撮影を行なうようにした、フラッシュのＴＴＬ調光機能を有するデジタルスチルカメラ（以下「デジタルカメラ」と称する）が多く製品化されている。
【０００５】
この種のデジタルカメラでは、フラッシュの発光を一律に禁止する、所謂「発光禁止」の撮影モード設定時以外のフラッシュの本発光を伴う撮影を実施する場合は、原則としてプリ発光によるＴＴＬ測光を実施する。
【０００６】
そのため、例えば被写体がこどもやペットなど、撮影者側の言葉がよく通じない存在である場合には、プリ発光から本発光に移行する間にカメラから顔を背けてしまい、あるいは逃げ出してしまうなど、撮影車の意図通りの撮影ができなくなることが多々あり得る。
【０００７】
本発明は上記のような実情に鑑みてなされたもので、その目的とするところは、必要に応じて簡易な操作でプリ発光のみを禁止し、本発光の発光量を決定することが可能な撮像装置、フラッシュ制御方法及びプログラムを提供することにある。
【課題を解決するための手段】
【０００８】
請求項１記載の発明は、発光量を調節して連続発光可能なフラッシュ部と、被写体までの距離を測定する距離測定手段と、上記フラッシュ部によるプリ発光の禁止を指示するプリ発光禁止手段と、被写体までの距離値に対応した上記フラッシュ部の発光量を記憶した発光量記憶手段と、上記プリ発光禁止手段での指示により、上記距離測定手段で得た距離値に基づいて上記発光量記憶部から上記フラッシュ部の発光量を読出し、撮影を行なう本発光時の上記フラッシュ部の発光量を調節する調光手段とを具備したことを特徴とする。
【０００９】
請求項２記載の発明は、発光量を調節して連続発光可能なフラッシュ部と、被写体像を撮影する撮像手段と、上記フラッシュ部によるプリ発光の禁止を指示するプリ発光禁止手段と、上記撮像手段の適正露出値を算出して自動設定する露出設定手段と、上記プリ発光禁止手段での指示により、上記露出設定手段で得た露出値に基づいて上記撮像手段で撮影を行なう本発光時の上記フラッシュ部の発光量を調節する調光手段とを具備したことを特徴とする。
【００１０】
請求項３記載の発明は、発光量を調節して連続発光可能なフラッシュ部と、被写体像を撮影する撮像手段と、被写体までの距離を測定する距離測定手段と、上記フラッシュ部によるプリ発光の禁止を指示するプリ発光禁止手段と、上記撮像手段の適正露出値を算出して自動設定する露出設定手段と、被写体までの距離値に対応した上記フラッシュ部の発光量を記憶した発光量記憶手段と、上記プリ発光禁止手段での指示により、上記距離測定手段で得た距離値に基づいて上記発光量記憶部から上記フラッシュ部の発光量を読出し、上記露出設定手段で設定した露出値に基づいた補正を施して撮影を行なう本発光時の上記フラッシュ部の発光量を調節する調光手段とを具備したことを特徴とする。
【００１１】
請求項４記載の発明は、発光量を調節して連続発光可能なフラッシュ部と、被写体までの距離を測定する距離測定手段と、上記フラッシュ部によるプリ発光の禁止を指示するプリ発光禁止手段と、上記プリ発光実施時に上記距離測定手段で得た距離値と上記フラッシュ部の発光量とを対応付けて蓄積記憶しておく発光量記憶手段と、上記プリ発光禁止手段での指示により、上記距離測定手段で得た距離値に基づいて上記発光量記憶部から過去の上記フラッシュ部の対応する発光量を読出し、撮影を行なう本発光時の上記フラッシュ部の発光量を調節する調光手段とを具備したことを特徴とする。
【００１２】
請求項５記載の発明は、上記請求項４記載の発明において、上記調光手段は、上記発光量記憶部から上記距離測定手段で得た距離値に対応した上記フラッシュ部の発光量を読出すことができなかった場合に、上記発光量記憶手段に記憶されている複数の距離値と発光量との関係から、上記距離測定手段で得た距離値に対応するフラッシュ部の発光量を算出して、撮影を行なう本発光時の上記フラッシュ部の発光量を調節することを特徴とする。
【００１３】
請求項６記載の発明は、上記請求項１乃至４いずれかに記載の発明において、複数の撮影モード毎の撮影条件を記憶する撮影条件記憶手段と、上記複数の撮影モード毎の見本画像を記憶する見本画像記憶手段と、この見本画像記憶手段に記憶される見本画像を表示させて上記複数の撮影モードの１つを設定する選択手段と、この選択手段で選択された撮影モードに基づいて上記撮影条件記憶手段から対応する撮影条件を設定する撮影モード設定手段とをさらに具備し、上記プリ発光禁止手段は、上記撮影モード設定手段で設定した撮影条件に対応して上記フラッシュ部によるプリ発光の禁止を指示することを特徴とする。
【００１４】
請求項７記載の発明は、発光量を調節して連続発光可能なフラッシュ部を備えた撮像装置のフラッシュ制御方法であって、被写体までの距離を測定する距離測定工程と、上記フラッシュ部によるプリ発光の禁止を指示するプリ発光禁止工程と、上記プリ発光禁止工程での指示により、被写体までの距離値に対応する上記フラッシュ部の発光量を記憶した記憶内容から、上記距離測定工程で得た距離値に基づいて対応する発光量を読出し、撮影を行なう本発光時の上記フラッシュ部の発光量を調節する調光工程とを有したことを特徴とする。
【００１５】
請求項８記載の発明は、発光量を調節して連続発光可能なフラッシュ部と、被写体像を撮影する撮像部とを備えた撮像装置のフラッシュ制御方法であって、上記フラッシュ部によるプリ発光の禁止を指示するプリ発光禁止工程と、上記撮像部の適正露出値を算出して自動設定する露出設定工程と、上記プリ発光禁止工程での指示により、上記露出設定工程で得た露出値に基づいて上記撮像部で撮影を行なう本発光時の上記フラッシュ部の発光量を調節する調光工程とを有したことを特徴とする。
【００１６】
請求項９記載の発明は、発光量を調節して連続発光可能なフラッシュ部と、被写体像を撮影する撮像部とを備えた撮像装置のフラッシュ制御方法であって、被写体までの距離を測定する距離測定工程と、上記フラッシュ部によるプリ発光の禁止を指示するプリ発光禁止工程と、上記撮像部の適正露出値を算出して自動設定する露出設定工程と、上記プリ発光禁止工程での指示により、被写体までの距離値に対応する上記フラッシュ部の発光量を記憶した記憶内容から、上記距離測定工程で得た距離値に基づいて対応する発光量を読出し、上記露出設定工程で設定した露出値に基づいた補正を施して撮影を行なう本発光時の上記フラッシュ部の発光量を調節する調光工程とを有したことを特徴とする。
【００１７】
請求項１０記載の発明は、発光量を調節して連続発光可能なフラッシュ部を備えた撮像装置のフラッシュ制御方法であって、被写体までの距離を測定する距離測定工程と、上記フラッシュ部によるプリ発光の禁止を指示するプリ発光禁止工程と、上記プリ発光実施時に上記距離測定工程で得た距離値と上記フラッシュ部の発光量とを対応付けて蓄積記憶する発光量記憶工程と、上記プリ発光禁止工程での指示により、上記距離測定工程で得た距離値に基づいて上記発光量記憶工程で記憶した内容から過去の上記フラッシュ部の対応する発光量を読出し、撮影を行なう本発光時の上記フラッシュ部の発光量を調節する調光工程とを有したことを特徴とする。
【００１８】
請求項１１記載の発明は、発光量を調節して連続発光可能なフラッシュ部を備えた撮像装置が内蔵するコンピュータが実行するプログラムであって、被写体までの距離を測定する距離測定ステップと、上記フラッシュ部によるプリ発光の禁止を指示するプリ発光禁止ステップと、上記プリ発光禁止ステップでの指示により、被写体までの距離値に対応する上記フラッシュ部の発光量を記憶した記憶内容から、上記距離測定ステップで得た距離値に基づいて対応する発光量を読出し、撮影を行なう本発光時の上記フラッシュ部の発光量を調節する調光ステップとをコンピュータに実行させることを特徴とする。
【００１９】
請求項１２記載の発明は、発光量を調節して連続発光可能なフラッシュ部と、被写体像を撮影する撮像部とを備えた撮像装置が内蔵するコンピュータが実行するプログラムであって、上記フラッシュ部によるプリ発光の禁止を指示するプリ発光禁止ステップと、上記撮像部の適正露出値を算出して自動設定する露出設定ステップと、上記プリ発光禁止ステップでの指示により、上記露出設定ステップで得た露出値に基づいて上記撮像部で撮影を行なう本発光時の上記フラッシュ部の発光量を調節する調光ステップとをコンピュータに実行させることを特徴とする。
【００２０】
請求項１３記載の発明は、発光量を調節して連続発光可能なフラッシュ部と、被写体像を撮影する撮像部とを備えた撮像装置が内蔵するコンピュータが実行するプログラムであって、被写体までの距離を測定する距離測定ステップと、上記フラッシュ部によるプリ発光の禁止を指示するプリ発光禁止ステップと、上記撮像部の適正露出値を算出して自動設定する露出設定ステップと、上記プリ発光禁止ステップでの指示により、被写体までの距離値に対応する上記フラッシュ部の発光量を記憶した記憶内容から、上記距離測定ステップで得た距離値に基づいて対応する発光量を読出し、上記露出設定ステップで設定した露出値に基づいた補正を施して撮影を行なう本発光時の上記フラッシュ部の発光量を調節する調光ステップとをコンピュータに実行させることを特徴とする。
【００２１】
請求項１４記載の発明は、発光量を調節して連続発光可能なフラッシュ部を備えた撮像装置が内蔵するコンピュータが実行するプログラムであって、被写体までの距離を測定する距離測定ステップと、上記フラッシュ部によるプリ発光の禁止を指示するプリ発光禁止ステップと、上記プリ発光実施時に上記距離測定ステップで得た距離値と上記フラッシュ部の発光量とを対応付けて蓄積記憶する発光量記憶ステップと、上記プリ発光禁止ステップでの指示により、上記距離測定ステップで得た距離値に基づいて上記発光量記憶ステップで記憶した内容から過去の上記フラッシュ部の対応する発光量を読出し、撮影を行なう本発光時の上記フラッシュ部の発光量を調節する調光ステップとをコンピュータに実行させることを特徴とする。
【発明の効果】
【００２２】
請求項１記載の発明によれば、例えばフラッシュモードのキー操作によりプリ発光の禁止が指示されると、ＡＦ（自動合焦）処理で得た被写体までの距離値に応じて予め設定されている基準となる発光量を自動的に読出して本発光時の上記フラッシュ部の発光量を調節するものとしたため、距離値に応じた適正な発光量を基準として予め記憶設定しておくことで、簡易な操作でプリ発光のみを禁止させながら、適正な発光量での本発光撮影を実行させることができる。
【００２３】
請求項２記載の発明によれば、例えばフラッシュモードのキー操作によりプリ発光の禁止が指示されると、ＡＥ（自動露光）処理で得た光学撮像系の適正露出値及びこれに基づくＡＷＢ（自動ホワイトバランス）処理で特定した光源に応じて予め設定されている基準となる発光量を自動的に読出して本発光時の上記フラッシュ部の発光量を調節するものとしたため、撮影条件を推定して適正な発光量を基準として予め記憶設定しておくことで、簡易な操作でプリ発光のみを禁止させながら、適正な発光量での本発光撮影を実行させることができる。
【００２４】
請求項３記載の発明によれば、例えばフラッシュモードのキー操作によりプリ発光の禁止が指示されると、ＡＦ（自動合焦）処理で得た被写体までの距離値、ＡＥ（自動露光）処理で得た光学撮像系の適正露出値、及びこれに基づくＡＷＢ（自動ホワイトバランス）処理で特定した光源に応じて、予め設定されている基準となる発光量を自動的に読出して本発光時の上記フラッシュ部の発光量を調節するものとしたため、距離値と撮影条件に応じた適正な発光量を基準として予め記憶設定しておくことで、簡易な操作でプリ発光のみを禁止させながら、きわめて適正な発光量での本発光撮影を実行させることができる。
【００２５】
請求項４記載の発明によれば、例えばフラッシュモードのキー操作によりプリ発光の禁止が指示されると、過去のプリ発光実施時にＡＦ（自動合焦）処理で得た被写体までの距離値に応じて設定した発光量のデータ中から適切なものを自動的に読出して本発光時の上記フラッシュ部の発光量を調節するものとしたため、過去に同様の距離から撮影を実行した本発光時のフラッシュ部の発光量のデータを有効に活用して、簡易な操作でプリ発光のみを禁止させながら、適正な発光量での本発光撮影を実行させることができる。
【００２６】
請求項５記載の発明によれば、上記請求項４記載の発明の効果に加えて、過去に同様の距離から撮影を実行したことがなかった場合でも、他のデータとの相関をとって距離値に対応する発光量の近似値を算出することで、過去のデータを有効に活用して、撮影を行なう本発光時の上記フラッシュ部の発光量を調節することができる。
【００２７】
請求項６記載の発明によれば、上記請求項１乃至４いずれかに記載の発明の効果に加えて、見本画像を参照して任意の撮影モードを選択するだけで、その撮影条件から必要に応じて上記フラッシュ部によるプリ発光の禁止を指示することができるので、撮影しようとする画像を視覚的に判断することができ、且つフラッシュ部のプリ発光の禁止の指示の有無を判断する必要がないので、より気軽に意図通りの撮影を失敗なく実行することができる。
【００２８】
請求項７記載の発明によれば、例えばフラッシュモードのキー操作によりプリ発光の禁止が指示されると、ＡＦ（自動合焦）処理で得た被写体までの距離値に応じて予め設定されている基準となる発光量を自動的に読出して本発光時の上記フラッシュ部の発光量を調節するものとしたため、距離値に応じた適正な発光量を基準として予め記憶設定しておくことで、簡易な操作でプリ発光のみを禁止させながら、適正な発光量での本発光撮影を実行させることができる。
【００２９】
請求項８記載の発明によれば、例えばフラッシュモードのキー操作によりプリ発光の禁止が指示されると、ＡＥ（自動露光）処理で得た光学撮像系の適正露出値及びこれに基づくＡＷＢ（自動ホワイトバランス）処理で特定した光源に応じて予め設定されている基準となる発光量を自動的に読出して本発光時の上記フラッシュ部の発光量を調節するものとしたため、撮影条件を推定して適正な発光量を基準として予め記憶設定しておくことで、簡易な操作でプリ発光のみを禁止させながら、適正な発光量での本発光撮影を実行させることができる。
【００３０】
請求項９記載の発明によれば、例えばフラッシュモードのキー操作によりプリ発光の禁止が指示されると、ＡＦ（自動合焦）処理で得た被写体までの距離値、ＡＥ（自動露光）処理で得た光学撮像系の適正露出値、及びこれに基づくＡＷＢ（自動ホワイトバランス）処理で特定した光源に応じて、予め設定されている基準となる発光量を自動的に読出して本発光時の上記フラッシュ部の発光量を調節するものとしたため、距離値と撮影条件に応じた適正な発光量を基準として予め記憶設定しておくことで、簡易な操作でプリ発光のみを禁止させながら、きわめて適正な発光量での本発光撮影を実行させることができる。
【００３１】
請求項１０記載の発明によれば、例えばフラッシュモードのキー操作によりプリ発光の禁止が指示されると、過去のプリ発光実施時にＡＦ（自動合焦）処理で得た被写体までの距離値に応じて設定した発光量のデータ中から適切なものを自動的に読出して本発光時の上記フラッシュ部の発光量を調節するものとしたため、過去に同様の距離から撮影を実行した本発光時のフラッシュ部の発光量のデータを有効に活用して、簡易な操作でプリ発光のみを禁止させながら、適正な発光量での本発光撮影を実行させることができる。
【００３２】
請求項１１記載の発明によれば、例えばフラッシュモードのキー操作によりプリ発光の禁止が指示されると、ＡＦ（自動合焦）処理で得た被写体までの距離値に応じて予め設定されている基準となる発光量を自動的に読出して本発光時の上記フラッシュ部の発光量を調節するものとしたため、距離値に応じた適正な発光量を基準として予め記憶設定しておくことで、簡易な操作でプリ発光のみを禁止させながら、適正な発光量での本発光撮影を実行させることができる。
【００３３】
請求項１２記載の発明によれば、例えばフラッシュモードのキー操作によりプリ発光の禁止が指示されると、ＡＥ（自動露光）処理で得た光学撮像系の適正露出値及びこれに基づくＡＷＢ（自動ホワイトバランス）処理で特定した光源に応じて予め設定されている基準となる発光量を自動的に読出して本発光時の上記フラッシュ部の発光量を調節するものとしたため、撮影条件を推定して適正な発光量を基準として予め記憶設定しておくことで、簡易な操作でプリ発光のみを禁止させながら、適正な発光量での本発光撮影を実行させることができる。
【００３４】
請求項１３記載の発明によれば、例えばフラッシュモードのキー操作によりプリ発光の禁止が指示されると、ＡＦ（自動合焦）処理で得た被写体までの距離値、ＡＥ（自動露光）処理で得た光学撮像系の適正露出値、及びこれに基づくＡＷＢ（自動ホワイトバランス）処理で特定した光源に応じて、予め設定されている基準となる発光量を自動的に読出して本発光時の上記フラッシュ部の発光量を調節するものとしたため、距離値と撮影条件に応じた適正な発光量を基準として予め記憶設定しておくことで、簡易な操作でプリ発光のみを禁止させながら、きわめて適正な発光量での本発光撮影を実行させることができる。
【００３５】
請求項１４記載の発明によれば、例えばフラッシュモードのキー操作によりプリ発光の禁止が指示されると、過去のプリ発光実施時にＡＦ（自動合焦）処理で得た被写体までの距離値に応じて設定した発光量のデータ中から適切なものを自動的に読出して本発光時の上記フラッシュ部の発光量を調節するものとしたため、過去に同様の距離から撮影を実行した本発光時のフラッシュ部の発光量のデータを有効に活用して、簡易な操作でプリ発光のみを禁止させながら、適正な発光量での本発光撮影を実行させることができる。
【図面の簡単な説明】
【００３６】
【図１】本発明の実施の一形態に係るデジタルカメラの機能回路構成を示すブロック図。
【図２】同実施の形態に係る通常の静止画の撮影モード時の処理内容を示すフローチャート。
【図３】同実施の形態に係る通常の静止画の撮影モード時の処理内容を示すフローチャート。
【図４】同実施の形態に係る各フラッシュモードの表示シンボルを示す図。
【図５】同実施の形態に係る光源と色温度との関係を示す図。
【図６】同実施の形態に係る撮影距離範囲とフラッシュの発光量との関係を示す図。
【図７】同実施の形態に係る過去のプリ発光時に得た距離と発光量との関係を示す図。
【発明を実施するための形態】
【００３７】
以下本発明をデジタルカメラに適用した場合の実施の一形態について図面を参照して説明する。
【００３８】
図１は、その電子回路の機能構成を示すものである。同図で、基本モードである撮影モードにおいては、モータ（Ｍ）１１の駆動によりレンズ光学系１２の合焦位置や絞り位置が移動される。このレンズ光学系１２の撮影光軸後方には、撮像素子であるＣＣＤ１３が配置される。
【００３９】
このＣＣＤ１３は、例えばＲＧＢの原色系のカラーフィルタを撮像面上に形成しており、タイミング発生器（ＴＧ）１４、垂直ドライバ１５によって走査駆動されるもので、一定周期毎に結像した光像に対応する光電変換出力を１画面分出力する。
【００４０】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理、γ補正処理、及びマトリックス演算を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ１９に出力される。
【００４１】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００４２】
制御部２２は、ＣＰＵとワークメモリとして使用されるＲＡＭ等により構成されるもので、撮影プログラム記憶部２３に記憶される、後述する撮影モード時のプリ発光禁止処理等の動作プログラムを実行することで、このデジタルカメラ全体の制御動作を司る。
【００４３】
撮影プログラム記憶部２３は、例えばフラッシュＲＯＭで構成され、上述した撮影モード時のプリ発光禁止処理等の動作プログラムの他に、撮影距離とフラッシュ発光量の基準テーブル、過去のプリ発光時に得た撮影距離と発光量の履歴テーブル、光源特定テーブル等を記憶する。
【００４４】
しかして制御部２２は、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２４を介してＶＲＡＭ２５に書込む。
【００４５】
デジタルビデオエンコーダ２６は、上記輝度及び色差信号をＶＲＡＭコントローラ２４を介してＶＲＡＭ２５より定期的に読出し、これらのデータを元にビデオ信号を発生して表示部２７に出力する。
【００４６】
この表示部２７は、このデジタルカメラの背面側に設けられるもので、撮影モード時にはモニタ表示部（電子ファインダ）として機能し、デジタルビデオエンコーダ２６からのビデオ信号に基づいた表示を行なうことで、その時点でＶＲＡＭコントローラ２４から取込んでいる画像情報に基づく画像をリアルタイムに表示することとなる。
【００４７】
このように表示部２７にその時点での画像がモニタ画像としてリアルタイムに表示されている、所謂スルー画像の表示状態で、静止画撮影を行ないたいタイミングでシャッタキーを操作すると、トリガ信号を発生する。
【００４８】
制御部２２は、このトリガ信号に応じてその時点でＣＣＤ１３から取込んでいる１画面分の輝度及び色差信号のＤＲＡＭ２１へのＤＭＡ転送を取り止め、あらためて適正な露出条件に従った絞り値及びシャッタ速度でＣＣＤ１３を走査駆動して１画面分の輝度及び色差信号を得てＤＲＡＭ２１へ転送し、その後にこの経路を停止し、記録保存の状態に遷移する。
【００４９】
この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出して画像処理部２８に書込み、この画像処理部２８でＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）規格に従ったＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５０】
そして、得た符号データを１画像のデータファイルとして該画像処理部２８から読出し、このデジタルカメラ１の記録媒体として着脱自在に装着されるメモリカード２９に書込む。
【００５１】
そして、１フレーム分の輝度及び色差信号の圧縮処理及びメモリカード２９への全圧縮データの書込み終了に伴なって、制御部２２はＣＣＤ１３からＤＲＡＭ２１への経路を再び起動する。
【００５２】
また、制御部２２には、キー入力部３０、音声処理部３１、及びフラッシュ駆動部３２が接続される。
【００５３】
キー入力部３０は、電源キー、シャッタキー、基本モードキー、メニューキー、十字キー、セットキー、及びフラッシュキー等から構成され、それらのキー操作に伴なう信号は直接制御部２２へ送出される。
【００５４】
音声処理部３１は、ＰＣＭ音源等の音源回路を備え、音声の録音時にはマイクロホン部（ＭＩＣ）３３より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード２９へ送出する一方、音声の再生時にはメモリカード２９から送られてきた音声データファイルの圧縮を解いてアナログ化し、上述したデジタルカメラの背面側に設けられるスピーカ部（ＳＰ）３４を駆動して、拡声放音させる。
【００５５】
フラッシュ駆動部３２は、静止画像撮影時に図示しないフラッシュ用の大容量コンデンサを充電した上で、制御部２２からの制御に基づいてフラッシュ発光部３５を必要な発光量となるように閃光駆動する。
【００５６】
しかるに、静止画像ではなく動画像の撮影時においては、１回目のシャッタキーが操作された時点で、上述した静止画データを画像処理部２８でデータ圧縮した静止画データファイルのメモリカード２９への記録を開始して、以後所定のフレームレート、例えば３０［フレーム／秒］でこれを連続して実行し、２回目にシャッタキーが操作されるか、または所定の制限時間、例えば３０秒が経過した時点でそれら一連の静止画データファイルを一括してモーションＪＰＥＧのデータファイル（ＡＶＩファイル）として設定し直す。
【００５７】
また、基本モードである再生モード時には、制御部２２がメモリカード２９に記録されている画像データを選択的に読出し、画像処理部２８で撮影モード時にデータ圧縮した手順と全く逆の手順で圧縮されている画像データを伸長し、伸長した画像データをＤＲＡＭインタフェース２０を介してＤＲＡＭ２１に保持させた上で、このＤＲＡＭ２１の保持内容をＶＲＡＭコントローラ２４を介してＶＲＡＭ２５に記憶させ、このＶＲＡＭ２５より定期的に画像データを読出してビデオ信号を発生し、上記表示部２７で再生出力させる。
【００５８】
選択した画像データが静止画像ではなく動画像であった場合、選択した動画像ファイルを構成する個々の静止画データの再生を時間的に連続して実行し、すべての静止画データの再生を終了した時点で、次に再生の指示がなされるまで先頭に位置する静止画データのみを用いて再生表示する。
【００５９】
次に上記実施の形態の動作について説明する。
なお、以下に示す処理は、基本的に制御部２２が予め撮影プログラム記憶部２３に記憶された動作プログラムを読出して実行する通常の静止画の撮影モード時の処理内容を示すものである。
【００６０】
その当初には、その時点で選択されているレンズ光学系１２のズーム位置に対応した焦点距離でＡＦ処理とＡＥ処理を実行し、合焦位置を得て適正なフォーカス状態を設定すると共に、適正露出値を得て絞り値及びシャッタ速度を設定する（ステップＡ０１，Ａ０２）。
【００６１】
その上で、該シャッタ速度がこのモニタ状態のフレームレートに対応した値、例えばフレームレートが３０［フレーム／秒］であれば１／３０［秒］を充分越える高い速度となるように調整してＣＣＤ１３から画像を得、得た画像データにより表示部２７でスルー画像を表示しながら（ステップＡ０３）、キー入力部３０のシャッタキーが操作されたか否か（ステップＡ０４）、あるいはこの撮影モード下で他の切換キー操作、例えばフラッシュモードの切換操作等がなされたか否か（ステップＡ０５）を判断する、という処理を繰返し実行することで、シャッタキーが操作されるか、その他の切換キー操作がなされるのを待機する。
【００６２】
撮影モード下でなんらかの切換キー操作がなされた場合、上記ステップＡ０５でこれを判断し、そのキー操作に対応した切換設定に係る処理を実行した上で（ステップＡ０６）、再び上記ステップＡ０１からの処理に戻る。
【００６３】
図４は、キー入力部３０のフラッシュキーを操作した場合に循環的に切換設定されるフラッシュモードの内容を、表示部２７の端部に表示されるシンボルと共に示すものである。
【００６４】
すなわち、キー入力部３０のフラッシュキーを操作する毎に、露出値に応じて適宜フラッシュ発光部３５が発光駆動される「自動発光モード」、一律にフラッシュ発光部３５の発光を禁止する「発光禁止モード」、デイライトシンクロ等で露出値等に関係なく強制的にフラッシュ発光部３５を発光駆動する「強制発光モード」、ＴＴＬ測光のためのプリ発光を行なわず本発光のみを行なう「プリ発光禁止モード」、及びＴＴＬ測光のためのプリ発光ではなく、被写体に発生する可能性のある赤目を軽減させるべく本発光前に一定時間をあけてプリ発光を行なう「赤目軽減モード」の各フラッシュモードが循環的に順次切換設定される。
【００６５】
上記各フラッシュモードのうち、「自動発光モード」で且つ露出値から補助光としてのフラッシュの発光が必要であると判断した場合、及び「強制発光モード」「赤目軽減モード」では、実際の撮影時にプリ発光と本発光の２回フラッシュを発光させることになる。
【００６６】
また、上記キー入力部３０のシャッタキーが操作された場合、ステップＡ０４でそれを判断し、その時点でフラッシュモードに上記「プリ発光禁止モード」が設定されているか否かを判断する（ステップＡ０７）。
【００６７】
ここで、「プリ発光禁止モード」以外のフラッシュモードが設定されている場合には、次いでフラッシュ発光部３５による発光を行なうか否か判断し（ステップＡ０８）、発光を行なうと判断すると、まず直前のＡＦ値及びＡＥ値を用いて、基準の発光量でのプリ発光により適正な発光量を得るための撮影を実行する（ステップＡ０９）。
【００６８】
このときＣＣＤ１３で得られる画像データにより適正な発光量を算出すると共に、その時点でのＡＦ値（距離値）と算出した発光量とを撮影プログラム記憶部２３の履歴テーブルに追加記憶させる（ステップＡ１０）。
【００６９】
その後、フラッシュモードが「赤目軽減モード」である場合のみ、被写体の瞳孔が収縮するのに必要と思われる一定時間をあけてから、フラッシュ発光部３５を本発光させての撮影を実行し、得た画像データをメモリカード２９に記録させた後に（ステップＡ１１）、再び上記ステップＡ０１からの待機処理に戻る。
【００７０】
また、上記ステップＡ０８でフラッシュを発光しないと判断した場合、すなわちフラッシュモードで「発光禁止モード」が設定されているか、「自動発光モード」でフラッシュ発光を行なわずとも適正な露出値が得られていると判断した時は、直前のＡＦ値及びＡＥ値に基づいて必要な撮影条件、すなわちレンズ光学系１２の絞り値と、ＣＣＤ１３の駆動によるシャッタ速度とを設定した上で（ステップＡ１２）、フラッシュ発光部３５を発光駆動せずに撮影を実行し、得た画像データをメモリカード２９に記録させた後に（ステップＡ１３）、再び上記ステップＡ０１からの待機処理に戻る。
【００７１】
さらに、上記ステップＡ０７でシャッタキー操作に伴って「プリ発光禁止モード」が設定されていると判断した場合には、次いで撮影プログラム記憶部２３に距離値と発光量との対応を示す過去のプリ発光の履歴テーブルの記憶があるか否かを判断する（ステップＡ１４）。
【００７２】
ここで、履歴テーブルの内容がない場合には、その履歴テーブルを参照することができないので、撮影プログラム記憶部２３に記憶されている撮影距離とフラッシュ発光量の基準テーブルを読出す（ステップＡ１５）。
【００７３】
図６は、撮影プログラム記憶部２３に予め記憶されている撮影距離とフラッシュ発光量の基準テーブルの内容を例示するもので、ここでは距離範囲に対応してフラッシュ発光部３５の発光量を理解しやすいＧＮ（ガイドナンバー）の値により表現している。
【００７４】
こうして読出した基準テーブルにより、直前のＡＦ処理で得たＡＦ値（距離値）に対応する発光量を抽出して決定する（ステップＡ１６）。
【００７５】
その後、直前の上記ステップＡ０２のＡＥ処理で得たＡＥ値から適正なホワイトバランス値を決定すると共に（ステップＡ１７）、その決定したホワイトバランス値によりさらに撮影プログラム記憶部２３に記憶される光源特定テーブルを用いてその時点での光源を特定する（ステップＡ１８）。
【００７６】
図５は、撮影プログラム記憶部２３に記憶される光源特定テーブルの内容を例示するものであり、主要な光源「蛍光灯」「電球」「（太陽光下の）日陰」「（日向の）太陽光」に対する色温度の代表値（単位［Ｋ（ケルビン）］）を示している。
【００７７】
光源特定テーブルを用いてホワイトバランス値から最も近い光源を特定すると、上記ステップＡ１６で決定したフラッシュ発光部３５の発光量、上記特定した光源、及び直前の上記ステップＡ０１で得た被写体の合焦位置（被写体までの距離）をパラメータとして再度フラッシュ発光部３５の発光量を決定する（ステップＡ１９）。
【００７８】
そして、この決定した発光量にしたがってフラッシュ発光部３５を本発光させての撮影を実行し、得た画像データをメモリカード２９に記録させた後に（ステップＡ２０）、再び上記ステップＡ０１からの待機処理に戻る。
【００７９】
また、上記ステップＡ１４で撮影プログラム記憶部２３に距離値と発光量との対応を示す過去のプリ発光の履歴テーブルの記憶があると判断した場合には、次いでその履歴テーブル中に直前の上記ステップＡ０１でのＡＦ処理で得た距離値と同様の距離値のものがあるか否かを判断する（ステップＡ２１）。
【００８０】
図７は、撮影プログラム記憶部２３に記憶されている、距離値と発光量との対応を示す過去のプリ発光の履歴テーブルの内容を例示するものであり、過去の距離値（単位［ｍ］）に対応した発光量（単位［ＧＮ（：ガイドナンバー））の値が予め列記されているものとする。
【００８１】
ここで、上記履歴テーブル中に同様の距離値のものがある場合には、その距離値と対応して記憶されている発光量を読出し、そのままフラッシュ発光部３５の発光量として決定し（ステップＡ２２）、この決定した発光量にしたがってフラッシュ発光部３５を本発光させての撮影を実行し、得た画像データをメモリカード２９に記録させた後に（ステップＡ２０）、再び上記ステップＡ０１からの待機処理に戻る。
【００８２】
また、上記ステップＡ２１で履歴テーブル中に直前の上記ステップＡ０１でのＡＦ処理で得た距離値と同様の距離値のものがないと判断した場合には、上記図７に例示した過去の複数の距離値と発光量との対応の内容から、距離と発光量との関係を示す近時線を算出し（ステップＡ２３）、この算出した近時線上で上記直前のＡＦ処理で得た距離値に対応する発光量を決定した上で（ステップＡ２４）、この決定した発光量にしたがってフラッシュ発光部３５を本発光させての撮影を実行し、得た画像データをメモリカード２９に記録させた後に（ステップＡ２０）、再び上記ステップＡ０１からの待機処理に戻る。
【００８３】
このように、フラッシュモードのキー操作によりプリ発光の禁止が指示されると、直前のＡＦ処理で得た被写体までの距離値に応じて、過去のプリ発光実施時にＡＦ処理で得た被写体までの距離値に応じて設定した発光量のデータ中から適切なものを自動的に読出して本発光時の上記フラッシュ部の発光量を調節するものとした。
【００８４】
そのため、過去に同様の距離から撮影を実行した本発光時のフラッシュ発光部３５の発光量のデータを有効に活用して、簡易な操作でプリ発光のみを禁止させながら、適正な発光量での本発光撮影を実行させることができる。
【００８５】
加えて、上記実施の形態では、上記ステップＡ１７で直前のＡＦ処理で得た距離値から予め設定されている基準となる発光量を自動的に読出し、さらにその後のステップＡ１７〜Ａ１９の処理でホワイトバランス値から光源を特定してその内容も加味したフラッシュ発光部３５の発光量を決定するものとしたが、上記ステップＡ１７〜Ａ１９の処理を省略するものとしても、距離値に応じた適正な発光量を基準として予め撮影プログラム記憶部２３内に記憶設定しておくことで、簡易な操作でプリ発光のみを禁止させながら、適正な発光量での本発光撮影を実行させることができる。
【００８６】
もちろん、上記ステップＡ１７〜Ａ１９の処理により、ホワイトバランス値から光源を特定してその内容も加味したフラッシュ発光部３５の発光量の決定を行なうことで、光源の特定から撮影条件を推定して適正な発光量を算出することができ、プリ発光のみを禁止させながら、より適正な発光量での本発光撮影を実行させることができるようになる。
【００８７】
また、過去に同様の距離からの撮影を実行したことがなかった場合でも、上記ステップＡ２３，Ａ２４で示した如く、他のデータとの相関をとって距離値に対応する発光量の近似値を算出することで、過去のデータを有効に活用して、撮影を行なう本発光時のフラッシュ発光部３５の発光量を適切に調節することができる。
【００８８】
なお、上記実施の形態は、主としてユーザがキー入力部３０のフラッシュキーの操作によりプリ発光禁止モードを設定した場合、すなわちフラッシュモードをユーザがマニュアル設定した場合について説明したものであるが、このようなフラッシュキーの操作を行なわず、予め用意された複数の見本画像、例えば「人物」「風景」「風景と人物」「（人物の）アップ」「（人物の）バストアップ」「ツーショット」「子供」「キャンドルライトで人物」「花のアップ」等の中から１つを選択することで、その見本画像で特定される固有の撮影条件を選択設定して撮影するような機能、所謂ベストショットなどと呼称される機能を実行する場合に、その撮影条件から必要に応じて上記フラッシュ部によるプリ発光の禁止を指示する場合にも、本発明を適用することができる。
【００８９】
この場合、ユーザは撮影しようとする画像を見本画像から視覚的に判断することができ、且つフラッシュ発光部３５のプリ発光の禁止の指示の有無を自ら判断する必要がないので、より気軽に意図通りの撮影を失敗なく実行することができる。
【００９０】
なお、上記実施の形態は本発明をデジタルカメラに適用した場合について説明したものであるが、本発明はこれに限らず、例えばカメラ機能付きの携帯電話機においても、カメラ機能自体の高画素化に合わせて、近時、補助光源として白色ＬＥＤに代えてキセノン放電管等のフラッシュライトを装備したものが少なくないので、同様に適用することが可能であり、さらにはその他、フラッシュを用いた静止画撮影を行なうカメラ機能を搭載した各種携帯電子機器、例えばＰＤＡ（Ｐｅｒｓｏｎａｌ  Ｄｉｇｉｔａｌ  Ａｓｓｉｓｔａｎｔｓ：個人向け携帯情報端末）等にも適用可能となる。
【００９１】
その他、本発明は上記実施の形態に限らず、その要旨を逸脱しない範囲内で種々変形して実施することが可能であるものとする。
【００９２】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【００９３】
１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…撮影プログラム記憶部、２４…ＶＲＡＭコントローラ、２５…ＶＲＡＭ、２６…デジタルビデオエンコーダ、２７…表示部、２８…画像処理部、２９…メモリカード、３０…キー入力部、３１…音声処理部、３２…フラッシュ駆動部、３３…マイクロホン部（ＭＩＣ）、３４…スピーカ部（ＳＰ）、３５…ストロボ発光部。
【図１】
2010020332.tif 000003
【図２】
2010020332.tif 000004
【図３】
2010020332.tif 000005
【図４】
2010020332.tif 000006
【図５】
2010020332.tif 000007
【図６】
2010020332.tif 000008
【図７】
2010020332.tif 000009
【手続補正書】
【提出日】平成21年9月3日(2009.9.3)
【手続補正２】
【補正対象書類名】明細書
【補正対象項目名】０００１
【補正方法】変更
【補正の内容】
【０００１】
本発明は、撮像装置、及びプログラムに関する。
【手続補正３】
【補正対象書類名】明細書
【補正対象項目名】０００７
【補正方法】変更
【補正の内容】
【０００７】
本発明は上記のような実情に鑑みてなされたもので、その目的とするところは、必要に応じて簡易な操作でプリ発光のみを禁止し、本発光の発光量を決定することが可能な撮像装置、及びプログラムを提供することにある。
【手続補正４】
【補正対象書類名】明細書
【補正対象項目名】０００８
【補正方法】変更
【補正の内容】
【０００８】
本発明の第一の観点に係る撮像装置は、
発光量を調節して連続発光可能なフラッシュ手段と、
被写体像を撮影する撮像手段と、
上記フラッシュ手段によるプリ発光の禁止を指示するプリ発光禁止手段と、
上記撮像手段の適正露出値を算出して自動設定する露出設定手段と、
上記プリ発光禁止手段での指示により、上記露出設定手段で得た露出値に基づいて上記撮像手段で撮影を行なう本発光時の上記フラッシュ手段の発光量を調節する調光手段と
を具備した。
【手続補正５】
【補正対象書類名】明細書
【補正対象項目名】０００９
【補正方法】変更
【補正の内容】
【０００９】
本発明の他の観点に係る撮像装置は、
発光量を調節して連続発光可能なフラッシュ手段と、
被写体までの距離を測定する距離測定手段と、
上記フラッシュ手段によるプリ発光の禁止を指示するプリ発光禁止手段と、
被写体までの距離値に対応した上記フラッシュ手段の発光量を記憶した発光量記憶手段、
上記プリ発光禁止手段での指示により、上記距離測定手段で得た距離値に基づいて上記発光量記憶部から上記フラッシュ手段の発光量を読出し、撮影を行なう本発光時の上記フラッシュ手段の発光量を調節する調光手段と複数の撮影モード毎の撮影条件を記憶する撮影条件記憶手段と、
上記複数の撮影モード毎の見本画像を記憶する見本画像記憶手段と、
この見本画像記憶手段に記憶される見本画像を表示させて上記複数の撮影モードの１つを設定する選択手段と、
この選択手段で選択された撮影モードに基づいて上記撮影条件記憶手段から対応する撮影条件を設定する撮影モード設定手段と、
を具備し、
上記プリ発光禁止手段は、上記撮影モード設定手段で設定した撮影条件に対応して上記フラッシュ手段によるプリ発光の禁止を指示する。
【手続補正６】
【補正対象書類名】明細書
【補正対象項目名】００１０
【補正方法】変更
【補正の内容】
【００１０】
本発明の他の観点に係るプログラムは、
発光量を調節して連続発光可能なフラッシュ手段と、
被写体像を撮影する撮像手段と、
を備えたコンピュータを、
上記フラッシュ手段によるプリ発光の禁止を指示するプリ発光禁止手段、
上記撮像手段の適正露出値を算出して自動設定する露出設定手段、
上記プリ発光禁止手段の指示により、上記露出設定手段が得た露出値に基づいて上記撮像手段で撮影を行なう本発光時の上記フラッシュ手段の発光量を調節する調光手段、
として機能させる。
【手続補正７】
【補正対象書類名】明細書
【補正対象項目名】００１１
【補正方法】変更
【補正の内容】
【００１１】
本発明の他の観点に係るプログラムは、
発光量を調節して連続発光可能なフラッシュ手段と、
被写体までの距離を測定する距離測定手段と、
被写体までの距離値に対応した上記フラッシュ手段の発光量を記憶した発光量記憶手段と、
を備えたコンピュータを、
上記フラッシュ手段によるプリ発光の禁止を指示するプリ発光禁止手段、
上記プリ発光禁止手段での指示により、上記距離測定手段で得た距離値に基づいて上記発光量記憶手段から上記フラッシュ手段の発光量を読出し、撮影を行なう本発光時の上記フラッシュ手段の発光量を調節する調光手段と複数の撮影モード毎の撮影条件を記憶する撮影条件記憶手段、
上記複数の撮影モード毎の見本画像を記憶する見本画像記憶手段、
この見本画像記憶手段に記憶される見本画像を表示させて上記複数の撮影モードの１つを設定する選択手段、
この選択手段で選択された撮影モードに基づいて上記撮影条件記憶手段から対応する撮影条件を設定する撮影モード設定手段、
として機能させ、
上記プリ発光禁止手段は、上記撮影モード設定手段で設定した撮影条件に対応して上記フラッシュ手段によるプリ発光の禁止を指示する。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
本発明によれば、簡易な操作でプリ発光のみを禁止させながら、適正な発光量での本発光撮影を実行させることができる。
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】特許請求の範囲
【補正対象項目名】全文
【補正方法】変更
【補正の内容】
【特許請求の範囲】
【請求項１】
発光量を調節して連続発光可能なフラッシュ手段と、
被写体像を撮影する撮像手段と、
上記フラッシュ手段によるプリ発光の禁止を指示するプリ発光禁止手段と、
上記撮像手段の適正露出値を算出して自動設定する露出設定手段と、
上記プリ発光禁止手段での指示により、上記露出設定手段で得た露出値に基づいて上記撮像手段で撮影を行なう本発光時の上記フラッシュ手段の発光量を調節する調光手段と
を具備したことを特徴とする撮像装置。
【請求項２】
発光量を調節して連続発光可能なフラッシュ手段と、
被写体までの距離を測定する距離測定手段と、
上記フラッシュ手段によるプリ発光の禁止を指示するプリ発光禁止手段と、
被写体までの距離値に対応した上記フラッシュ手段の発光量を記憶した発光量記憶手段と、
上記プリ発光禁止手段での指示により、上記距離測定手段で得た距離値に基づいて上記発光量記憶部から上記フラッシュ手段の発光量を読出し、撮影を行なう本発光時の上記フラッシュ手段の発光量を調節する調光手段と複数の撮影モード毎の撮影条件を記憶する撮影条件記憶手段と、
上記複数の撮影モード毎の見本画像を記憶する見本画像記憶手段と、
この見本画像記憶手段に記憶される見本画像を表示させて上記複数の撮影モードの１つを設定する選択手段と、
この選択手段で選択された撮影モードに基づいて上記撮影条件記憶手段から対応する撮影条件を設定する撮影モード設定手段と、
を具備し、
上記プリ発光禁止手段は、上記撮影モード設定手段で設定した撮影条件に対応して上記フラッシュ手段によるプリ発光の禁止を指示する
ことを特徴とする撮像装置。
【請求項３】
発光量を調節して連続発光可能なフラッシュ手段と、
被写体像を撮影する撮像手段と、
を備えたコンピュータを、
上記フラッシュ手段によるプリ発光の禁止を指示するプリ発光禁止手段、
上記撮像手段の適正露出値を算出して自動設定する露出設定手段、
上記プリ発光禁止手段の指示により、上記露出設定手段が得た露出値に基づいて上記撮像手段で撮影を行なう本発光時の上記フラッシュ手段の発光量を調節する調光手段、
として機能させるプログラム。
【請求項４】
発光量を調節して連続発光可能なフラッシュ手段と、
被写体までの距離を測定する距離測定手段と、
被写体までの距離値に対応した上記フラッシュ手段の発光量を記憶した発光量記憶手段と、
を備えたコンピュータを、
上記フラッシュ手段によるプリ発光の禁止を指示するプリ発光禁止手段、
上記プリ発光禁止手段での指示により、上記距離測定手段で得た距離値に基づいて上記発光量記憶手段から上記フラッシュ手段の発光量を読出し、撮影を行なう本発光時の上記フラッシュ手段の発光量を調節する調光手段と複数の撮影モード毎の撮影条件を記憶する撮影条件記憶手段、
上記複数の撮影モード毎の見本画像を記憶する見本画像記憶手段、
この見本画像記憶手段に記憶される見本画像を表示させて上記複数の撮影モードの１つを設定する選択手段、
この選択手段で選択された撮影モードに基づいて上記撮影条件記憶手段から対応する撮影条件を設定する撮影モード設定手段、
として機能させ、
上記プリ発光禁止手段は、上記撮影モード設定手段で設定した撮影条件に対応して上記フラッシュ手段によるプリ発光の禁止を指示する
プログラム。